(57)【要約】本発明は、ランプバルブ（２）及びランプベース（３）を備えているランプであって、ランプベース（３）が、当該ランプベースのほぼ中央の位置に位置付けられると共にランプバルブ（２）とは反対方向に延在する突出部（４）と、少なくとも１個のロック-掛合部（６）と、ランプバルブ（２）の反対側で、且つ前記突出部（４）を取り囲むほぼ平坦なベース面（５）とを備えているランプにおいて、前記少なくとも１個のロック-掛合部（６）が前記突出部（４）を取り囲むベース面（５）の前記中央の突出部から遠く離れた縁部に位置付けられるようにしたことを特徴とするランプに関する。本発明は、本発明によるランプ（１）と連携するランプホルダー（１０）であって、当該ランプホルダー（１０）のほぼ中央の位置におけるアパーチャ（１２）と、少なくとも１個のカウンタロック-掛合部（１５）と、前記アパーチャ（１２）を取り囲むほぼ平坦な保持面（１１）とを備えているランプホルダー（１０）において、前記少なくとも１個のカウンタロック-掛合部（１５）が、前記中央のアパーチャ（１２）を取り囲む保持面（１１）の、前記アパーチャ（１２）から遠く離れた縁部に位置付けられるようにしたことを特徴とするランプホルダーにも関する。
2005521213.tif 000002
【特許請求の範囲】
【請求項１】
ランプバルブ及びランプベースを備えているランプであって、ランプベースが、当該ランプベースのほぼ中央の位置に位置付けられると共にランプバルブとは反対方向に延在する突出部と、少なくとも１個のロック-掛合部と、ランプバルブの反対側で、且つ前記突出部を取り囲むほぼ平坦なベース面とを備えているランプにおいて、前記少なくとも１個のロック-掛合部が、前記突出部を取り囲むベース面の前記中央の突出部から遠く離れた縁部に位置付けられるようにしたことを特徴とするランプ。
【請求項２】
前記ランプが複数のロック-掛合部を備え、これらのロック-掛合部が前記中央の突出部から遠く離れたベース面の縁部に配分されるようにしたことを特徴とする請求項１に記載のランプ。
【請求項３】
前記中央突出部の周りのベース面に対して平行に切った前記中央突出部の断面がほぼ円形となるようにしたことを特徴とする請求項１又は２に記載のランプ。
【請求項４】
前記ランプベースにランプ識別用のキー手段を設けたことを特徴とする請求項１〜３の何れか一項に記載のランプ。
【請求項５】
前記キー手段が、ランプバルブに対して反対方向に延在する前記中央突出部に少なくとも１個のアパーチャを備えていることを特徴とする請求項４に記載のランプ。
【請求項６】
前記ランプベースに、前記ランプバルブとは反対側に位置し、且つ前記突出部を囲むベース面から突出する接点部材を設けたことを特徴とする請求項１〜５の何れか一項に記載のランプ。
【請求項７】
前記接点部材を一直線に配置したことを特徴とする請求項６に記載のランプ。
【請求項８】
前記接点部材を前記中央の突出部の両側に配置したことを特徴とする請求項６又は７に記載のランプ。
【請求項９】
請求項１〜８の何れか一項に記載のランプと連携するランプホルダーであって、当該ランプホルダーのほぼ中央の位置におけるアパーチャと、少なくとも１個のカウンタロック-掛合部と、前記アパーチャを取り囲むほぼ平坦な保持面とを備えているランプホルダーにおいて、前記少なくとも１個のカウンタロック-掛合部が、前記中央のアパーチャを取り囲む保持面の、前記アパーチャから遠く離れた縁部に位置付けられるようにしたことを特徴とするランプホルダー。
【請求項１０】
前記ランプホルダーが、複数のカウンタロック-掛合部を備え、これらのカウンタロック-掛合部が前記中央のアパーチャから遠くはなれた保持面の縁部に配分されるようにしたことを特徴とする請求項９に記載のランプホルダー。
【請求項１１】
前記中央アパーチャの周りの保持面に対して平行に切った前記中央アパーチャの断面がほぼ円形となるようにしたことを特徴とする請求項９又は１０に記載のランプホルダー。
【請求項１２】
前記ランプホルダーに、キー識別されるランプと連携して制御するカウンタキー手段を設けたことを特徴とする請求項９〜１１の何れか一項に記載のランプホルダー。
【請求項１３】
前記カウンタキー手段が前記中央アパーチャ内に少なくとも１個の突起部を備えていることを特徴とする請求項１２に記載のランプホルダー。
【請求項１４】
前記ランプホルダーにおける前記アパーチャを取り囲む保持面の下方にカウンタ接点部材を設けたことを特徴とする請求項９〜１３の何れか一項に記載のランプホルダー。
【請求項１５】
前記カウンタ接点部材を一直線に配置したことを特徴とする請求項１４に記載のランプホルダー。
【請求項１６】
前記カウンタ接点部材を前記中央アパーチャの両側に配置したことを特徴とする請求項１４又は１５に記載のランプホルダー。
【請求項１７】
請求項１〜８の何れか一項に記載のランプと、請求項９〜１６の何れか一項に記載のランプホルダーとのアセンブリにおいて、ランプの前記突出部をランプホルダーのアパーチャよりも小さくして、ランプとランプホルダーとが連携し、且つ少なくとも１個のロック-掛合部を前記ベース面の縁部に位置付けて、該ロック-掛合部が保持面の縁部に位置付けた少なくとも１個のカウンタロック-掛合部と連携するようにしたことを特徴とするアセンブリ。
【発明の詳細な説明】
【技術分野】
【０００１】
本発明は、ランプバルブ及びランプベースを備えているランプであって、ランプベースが、当該ランプベースのほぼ中央の位置に位置付けられると共にランプバルブとは反対方向に延在する突出部と、少なくとも１個のロック-掛合部と、ランプバルブの反対側で、且つ前記突出部を取り囲むほぼ平坦なベース面とを備えているランプに関するものである。本発明は、当該発明によるランプと連携するランプホルダーであって、当該ランプホルダーのほぼ中央の位置におけるアパーチャと、少なくとも１個のカウンタロック-掛合部と、前記アパーチャの周りのほぼ平坦な保持面とを備えているランプホルダーにも関するものである。
【０００２】
〔従来の技術〕
米国特許第5,746,615号には、バルブの一端に配置されるベースと、シングルエンドのランプソケットとを有し、ベースをランプソケット内に挿入してからねじって、ソケットに回転掛合させる、特に放電照明用に用いられる照明装置が開示されている。ランプは突出部とランプピンとを有しており、これらは共にベースの底部から突出している。ソケットは凹所を有し、その内部にランプの突出部を挿入し、且つ予定した角度にわたって回転させる。このような照明装置は有効に用いられ、バルブを交換し易い利点を有している。しかしながら、援用した米国特許による照明装置の欠点は、バルブがランプソケット内に常に同じように位置付けられないために、発光体の使用態様が最善に次ぐもので、及び/又は光源の審美的な位置付けも劣ると云うことにある。
【０００３】
〔発明が解決しようとする課題〕
本発明の目的は、ランプの交換が簡単であるも、ランプを確実に、しかも良好に規定された位置に位置付けるのに適したランプ及びランプホルダーを提供することにある。本発明の他の目的は、ランプとランプホルダーとを結合させた状態におけるランプの高さを画定することにある。
【０００４】
〔課題を解決するための手段〕
本発明によれば、冒頭にて述べたタイプのランプバルブ及びランプベースを備えているランプにおいて、少なくとも１個のロック-掛合部が、前記突出部を取り囲むベース面の前記中央の突出部から遠く離れている縁部に位置付けられるようにしたことを特徴とする。好適例では、ランプが複数のロック-掛合部を備え、これらのロック-掛合部が前記中央の突出部から遠く離れているベース面の縁部全体に配分されるようにする。少なくとも１個のロック-掛合部を中央突出部から遠く離れたベース面の縁部に位置させることは、ランプを同じく本発明によるランプホルダーに結合させた際に、ランプの安定性を増す利点をもたらす。本発明によるランプホルダーは冒頭にて述べたタイプのもので、少なくとも１個のカウンタロック-掛合部が、中央アパーチャを取り囲み該中央アパーチャから遠く離れた保持面の縁部に位置付けられるようにしたことを特徴とする。ロック-掛合部とカウンタロック-掛合部は、ランプとランプホルダーとをこれら２つの素子の連携により固定させるだけでなく、ランプの突出部とランプホルダーのアパーチャとを連携させ、且つベース面と保持面も連携させて、ランプとランプホルダーを固定させる。ロック-掛合部とカウンタロック-掛合部との間及び突出部とアパーチャとの間の距離の効果は、ロック-掛合部に特定する限り、これらのロック-掛合部を突出部/アパーチャと一体にする従来の結合の仕方に比べて、ランプとランプホルダーとの結合の安定度が増すことにある。複数のロック-掛合部と、これにつがうランプホルダーにおける複数のカウンタロック-掛合部を用いる場合には、結合安定度がさらに増す利点がある。ベース面と保持面は、ランプをランプホルダー（又はランプホルダーを収容する照明器具）に良好に位置付けるために大きな基準面とすることができる。ランプのロック-掛合部は、例えばランプホルダーにおけるスリットと協働するフック状の素子とすることができる。ランプに比較的脆弱なフック状の素子を位置させることの利点は、ランプを新しいものに換える際に、フック状の素子も一新するので有利である。簡単なフック状の素子は合成樹脂材料で構成することができ、金属ばねは過度な保持力を呈する。本発明によるランプの他の利点は、ランプをごく限られた高さで構成し得ることにある。即ち、ランプの突出部の機能はランプを案内することにあり、それを周囲にロック又は結合させるのではない。突出部が１つの目的しか持たないことからして、その高さは限られた高さにすることができ、ランプ全体を従来のものに比べて比較的コンパクト（高さにおいて）にすることができる。
【０００５】
中央突出部は、その周りのベース面に対してほぼ平行な断面がほぼ円形をなし、この突出部が中央アパーチャを有する好適なランプホルダーと連携し、中央アパーチャはその周りの保持面に対して平行な断面が円形となるようにするのが好適である。断面を円形状にする利点は、突出部とアパーチャの寸法に応じて、突出部をアパーチャに挿入しながらランプベースを案内することができ、しかもランプをまわしてランプホルダーに（連続して）案内することができることにある。ランプの結合又は取り外し中のそのランプの案内を改善することは、結合/取り外しの処置を良好に制御し、従ってランプ及びランプホルダーの不適切な取り扱い問題がなくなる。
【０００６】
他の好適例では、ランプベースにランプ識別用のキー手段を設ける。このキー手段は、ランプバルブに対して反対方向に延在する中央突出部における少なくとも１個のアパーチャで構成することができる。このようなランプと連携させるために、本発明はランプホルダーの好適例も提供し、このランプホルダーにはキー識別されるランプと連携して制御するカウンタキー手段を設ける。このようなカウンタキー手段は中央アパーチャにおける少なくとも１個の突起部で構成することができる。キー手段及びカウンタキー手段はランプとランプホルダーの組み合わせの不適切な使用を防ぐことができる。従って、例えば、高電圧ランプを低電圧ランプ用のみに設計されたランプホルダーに使用したり、又はその逆に使用したりするのを防止することができる。突出部におけるアパーチャ及び中央アパーチャにおける突起部は、破損し難く構成し得る利点を有する。他の利点は、突出部/アパーチャがキー手段及びカウンタキー手段の相対位置を用意し得ることにある。
【０００７】
本発明によるランプのさらに他の好適例では、ランプベースに、ランプバルブとは反対側で、且つ前記突出部を取り囲むベース面から突出する接点部材を設ける。接点部材、例えば接点ピンは随意中央突出部の両側に一直線に配置することができる。接点部材と連携させるために、本発明はランプホルダーの好適例も提供し、このランプホルダーにはアパーチャ取り囲む保持面の下方、好ましくはタッチ−プルーフ位置にカウンタ接点部材を設ける。カウンタ接点部材も、例えば中央アパーチャの両側に一直線に配置することができる。接点部材及びカウンタ接点部材はとりわけランプに電力を供給するために連携させる。接点部材及びカウンタ接点部材を一直線に配置することにより、ランプ及びランプホルダーの生産を簡単にし、従って安価にする。接点機構及びカウンタ接点部材は、これらをランプ及びランプホルダーの（リード）ワイヤに接続するのに接近し易くする。
【０００８】
〔発明の実施の形態〕
本発明の非制限的な例を添付の図面を参照して説明する。
【０００９】
図１Ａは、図示してない電極を収容し、放電通路を作るための管状の放電容器２を有する放電ランプ１を示す。このランプ１は、放電容器２及び電極を保持し、放電容器２とは反対側に向く中央突出部４を具えているランプベース３も有している。突出部４は、周囲に結合フック６（ロック−掛合部分６とも称する）を有するベース面５によって囲まれている。ランプベース３は、突出部４に平行な方向で、しかも放電容器２とは反対側に向いている接点ピン７（接点部材７とも称する）も保持する。突出部４におけるキースリット８については図２につき説明する。ランプベース３はベース面５に弾性的に接続したキャッチ部９も有している。上述した説明は放電ランプだけに言及したが、本発明によるランプは白熱ランプとすることもできる。
【００１０】
ランプ１を点灯させるには、接点ピン７を電源に接触させなければならない。ランプを首尾よく点灯させる他の要件はランプの位置を制御することにある。図１Ｂに示すようなランプホルダー１０はこれら双方の機能を果たすことができる。ランプホルダー１０は、ランプ１の突出部４を保持し得る中央アパーチャ１２を有する保持面１１を有している。中央アパーチャ１２には、図２につき説明するキーノッチ１３がある。ランプホルダー１０の保持面１１は、ランプ１の接点ピン７と連携するスロット１４も有しており、これらのスロットは、ピン７をカウンタ接点部材の開口１４内に挿入した後にピン７を動かせるようにする。保持面１１の周囲にはランプ１の結合フック６により保持される突起部１５がある。突出部４を中央アパーチャ１２内に、またピン７を開口１４内に挿入した後、ランプ１を突出部４の軸線を中心にランプホルダー１０に対して回転させることができる。これにより結合フック６を突起部１５と連携させて、ランプ１とランプホルダー１０を結合させる。ランプ１とランプホルダー１０との最適な相対位置をさらにもっと良好に指示するために、ランプ１をランプホルダー内に挿入する際にベース面５のレベルの位置に押し戻されるランプ１のキャッチ部９によって、これらのキャッチ部が保持面１１に設けたキャッチ部用のホール１６に達する時に、ランプ１とランプホルダーが本来の位置をとることができるようにする。キャッチ部９は、弾性結合が時間と共に弱くなるのでランプベース３内に位置させる。しかしながら、ランプベース３はランプ１の寿命が尽きると交換され、従ってランプ１の一部であるキャッチ部も交換される。キャッチ部９とホール１６との連携により、ランプ１とランプホルダー１０との結合が停止することになり、ランプが正しく取り付けられて、例えば振動により緩んだりするのを防止する“フィーリング”を与える。弾性キャッチ部９は金属ばねを必要とせずに、プラスチック製とすることができる。保持面１１の突起部と協働する結合フック６の側壁によって追加の停止機能を持たせることができる。
【００１１】
図２Ａは本発明によるランプベース２０とランプホルダー２１との組み合わせを示す。この図に示すランプベース２０は僅か２つの結合フック２２を有しているだけであり、ランプホルダー２１は僅か２つの突起部２３を有しているだけである。しかしながら、これによってランプベース２０とランプホルダー２１との結合の仕方が、図１Ａ及び図１Ｂに示したようなランプ１とランプホルダー１０との結合に対して変わるのではない。ランプベース２０の突出部２４はキースリット２５を有し、このスリットのベース面に近い側にはチャンバ２６がある。突出部２４は、アパーチャ２８内に位置するキーノッチ２９がキースリット２５内にフィットする時にランプホルダー２１のアパーチャ２８内に挿入できるだけである。突出部２４をアパーチャ２８内にほぼ挿入した後には、チャンバ２６がノッチ２９に達するため、ランプベース２０をランプホルダー２１に対して回転させることができる。ランプベース２０とランプホルダー２１は、スリット２５、チャンバ２６及びノッチ２９のそれぞれの位置が相対的に適合する場合にのみ首尾よく結合することができる。スリット２５、チャンバ２６及びノッチ２９は、これらが相互に整合しない場合には、結合が阻害されるため、ランプベース２０とランプホルダー２１との不所望な結合に対する安全策をなす。
【００１２】
図２Ｂは、突出部２４をアパーチャ２８内に挿入した位置で、接点ピン３０をそれらの接触位置に入れる前か、接点ピン３０をそれらの接触位置から追い出した接点ピン３０とそれらの受け部材３１の部分平面図である。図２Ｃは接触位置における接点ピン３０と受け部材３１を示す。この際、接点ピン３０と受け部材３１が連携するため、ピン３０は電源（図示せず）との接触位置を占めることができる。
【００１３】
最後に、図３は本発明によるランプホルダー３２を、中央アパーチャ３４内に位置させるノッチ３３（破線で示す）の様々な自由選択位置と一緒に示した平面図である。アパーチャ３４内のノッチ（複数の場合もある）の位置に応じて、ランプホルダー３２は対応する位置にキースリット（図１Ａ及び図２Ａ参照）が設けられているランプと連携することができる。
【図面の簡単な説明】
【００１４】
【図１Ａ】本発明によるランプの斜視図である。
【図１Ｂ】本発明によるランプホルダーの斜視図である。
【図２Ａ】本発明によるランプベースとランプホルダーの組み合わせの斜視図四図である。
【図２Ｂ】接点部材と、これにつがうカウンタ接点部材の挿入又は取り外し位置における部分的な平面図である。
【図２Ｃ】図２Ｂの接点部材と、カウンタ接点部材との接触位置における部分的な平面図である。
【図３】オプショナルのカウンタキー位置も一緒に示したランプホルダーの平面図である。
【図１Ａ】
2005521213.tif 000003
【図１Ｂ】
2005521213.tif 000004
【図２Ａ】
2005521213.tif 000005
【図２Ｂ】
2005521213.tif 000006
【図２Ｃ】
2005521213.tif 000007
【図３】
2005521213.tif 000008
【国際調査報告】
2005521213.tif 000009
2005521213.tif 000010